(57)【特許請求の範囲】
【請求項１】
ユーザの生体情報を測定し血圧値を算出するための血圧測定装置であって、
当該血圧測定装置を用いるユーザが生体情報の測定を指示する指示手段と、
前記ユーザの、指紋情報と生体から得られる第１の信号とを同時に取得する取得手段と、
前記取得した前記ユーザの指紋情報を用いて、前記ユーザが登録されているユーザであるか否かの認証を行なう第１の認証手段と、
前記ユーザの生体情報を測定する生体情報測定手段と、
測定された前記生体情報から第２の信号を抽出する抽出手段と、
測定された前記生体情報から血圧値を算出する血圧算出手段と、
前記取得した前記第１の信号と、前記生体情報より抽出された第２の信号とを用いて、前記生体情報を測定しているユーザが、前記第１の認証手段によって認証されたユーザであるか否かの認証を行なう第２の認証手段と、
前記測定された生体情報より算出された前記血圧値を保存する保存手段と、
前記測定された生体情報より算出された前記血圧値を外部に出力する出力手段とを備える、血圧測定装置。
【請求項２】
当該血圧測定装置を用いるユーザの、指紋情報と生体から得られる第１の信号とを同時に取得する取得手段と、
前記取得した前記ユーザの指紋情報を用いて、前記ユーザが登録されているユーザであるか否かの認証を行なう第１の認証手段と、
前記ユーザの生体情報を測定する生体情報測定手段と、
測定された前記生体情報から血圧値を算出する血圧算出手段と、
前記測定された生体情報より算出された前記血圧値と、前記第１の信号とを保存する保存手段と、
前記保存された前記第１の信号と、前記生体情報測定手段で前記ユーザの生体情報を測定する際に生体から得られる第２の信号とを用いて、前記生体情報を測定しているユーザが、前記第１の認証手段によって認証されたユーザであるか否かの認証を行なう第２の認証手段とを備える、血圧測定装置。
【請求項３】
前記保存された前記第１の信号と、前記生体情報測定手段で得られる前記第２の信号とを用いて、前記ユーザの生体異常を判断する生体異常判断手段をさらに備える、請求項２に記載の血圧測定装置。
【請求項４】
前記第２の認証手段は、前記第１の信号と、前記第２の信号とが同じであるか否かで、前記ユーザが、前記第１の認証手段によって認証されたユーザであるか否かの認証を行なう、請求項１〜３のいずれかに記載の血圧測定装置。
【請求項５】
前記保存手段は、前記第１の認証手段において前記ユーザが登録されているユーザであると認証され、かつ、前記第２の認証手段において前記生体情報を測定しているユーザが前記第１の認証手段によって認証されたユーザであると認証された場合に、前記測定された生体情報より算出された血圧値を保存する、請求項１〜４のいずれかに記載の血圧測定装置。
【請求項６】
前記生体から得られる第１の信号および前記生体から得られる第２の信号は、前記ユーザの脈波情報である、請求項１〜５のいずれかに記載の血圧測定装置。
【請求項７】
前記第２の認証手段は、前記第１の信号である脈波情報と前記第２の信号である脈波情報とについて、それらの周期と、波形と、波形の所定箇所の比率と、含まれるいわゆるゆらぎと言われる現象との少なくとも１つを比較することで前記脈波情報が同じであるか否かを確認し、前記ユーザが、前記第１の認証手段によって認証されたユーザであるか否かの認証を行なう、請求項６に記載の血圧測定装置。
【請求項８】
電気通信回線を介して情報の送受信を行なう通信手段をさらに備え、
前記通信手段は、前記測定された生体情報を前記保存手段に送信する、請求項１〜７のいずれかに記載の血圧測定装置。
【請求項９】
前記第１の認証手段において前記ユーザが登録されているユーザであると認証されなかった場合と、前記第２の認証手段において前記ユーザが前記第１の認証手段によって認証されたユーザであると認証されなかった場合との、少なくとも一方における対策手段と、
撮影手段とをさらに備え、
前記対策手段は、前記第１の認証手段と前記第２の認証手段との少なくとも一方において認証されなかった場合に、当該血圧測定装置を利用している前記ユーザの映像と、当該血圧測定装置を中心にした３６０°の映像との少なくとも一方の映像を前記撮影手段において撮影し、
前記通信手段は、前記撮影された映像を出力する、請求項８に記載の血圧測定装置。
【請求項１０】
前記第１の認証手段において前記ユーザが登録されているユーザであると認証されなかった場合と、前記第２の認証手段において前記ユーザが前記第１の認証手段によって認証されたユーザであると認証されなかった場合との、少なくとも一方における対策手段をさらに備える、請求項１〜８のいずれかに記載の血圧測定装置。
【請求項１１】
前記対策手段は、前記生体情報測定手段による、前記ユーザの生体情報の測定を制限する、請求項１０に記載の血圧測定装置。
【請求項１２】
前記対策手段は、前記第１の認証手段または前記第２の認証手段によって認証されなかった旨を報知する、請求項１０に記載の血圧測定装置。
【請求項１３】
撮影手段をさらに備え、
前記対策手段は、前記第１の認証手段と前記第２の認証手段との少なくとも一方において認証されなかった場合に、当該血圧測定装置を利用している前記ユーザの映像と、当該血圧測定装置を中心にした３６０°の映像との少なくとも一方の映像を前記撮影手段において撮影し、
前記保存手段は、前記撮影された映像を保存する、請求項１０に記載の血圧測定装置。
【請求項１４】
前記対策手段は、前記第１の認証手段において前記ユーザが登録されているユーザであると認証されなかった場合に、前記取得手段で取得した前記ユーザの指紋情報を前記保存手段において保存する、請求項１０に記載の血圧測定装置。
【請求項１５】
前記取得手段は、前記第１の認証手段において前記指紋情報に基づいて前記ユーザが登録されているユーザであると認証された場合に、前記ユーザより前記第１の信号を取得する、請求項１または２に記載の血圧測定装置。
【請求項１６】
前記生体情報測定手段は、前記第１の認証手段において前記指紋情報に基づいて前記ユーザが登録されているユーザであると認証された場合に前記ユーザの生体情報を測定する、請求項１または２に記載の血圧測定装置。
【請求項１７】
前記血圧算出手段は、前記第１の認証手段において前記指紋情報に基づいて前記ユーザが登録されているユーザであると認証され、かつ前記第２の認証手段において前記生体情報を測定しているユーザが前記第１の認証手段によって認証されたユーザであると認証された場合に、前記生体情報から血圧値を算出する、請求項１または２に記載の血圧測定装置。
【請求項１８】
前記取得手段は、発光部と、前記発光部から照射された光が前記ユーザの指の表面で反射したことによる反射光を受光する受光部とを含み、
前記反射光より指紋を検出することで前記指紋情報を取得し、前記反射光の強弱を検出することで前記第１の信号を取得する、請求項１または２に記載の血圧測定装置。
【請求項１９】
前記出力手段は、前記第１の認証手段において前記指紋情報に基づいて前記ユーザが登録されているユーザであると認証され、かつ前記第２の認証手段において前記生体情報を測定しているユーザが、前記第１の認証手段によって認証されたユーザであると認証された場合に、前記生体情報から算出された前記血圧値を外部に出力する、請求項１に記載の血圧測定装置。
【請求項２０】
前記保存手段は、前記第１の認証手段において前記指紋情報に基づいて前記ユーザが登録されているユーザであると認証され、かつ前記第２の認証手段において前記生体情報を測定しているユーザが、前記第１の認証手段によって認証されたユーザであると認証された場合に、前記生体情報から算出された前記血圧値を保存する、請求項１に記載の血圧測定装置。
【請求項２１】
ユーザの指表面からの反射光を受光することによって指紋情報を取得する指紋取得手段と、
前記反射光の強弱を検出することにより第１脈波信号を取得する脈波信号取得手段と、
前記指紋情報を用いて、前記指紋情報を取得したユーザが登録されているユーザであるか否かを認証する第１の認証手段と、
測定用流体袋と前記測定用流体袋の内圧を測定するセンサとを含む血圧測定手段と、
前記測定用流体袋の内圧より前記測定用流体袋を装着したユーザの血圧値を算出する血圧算出手段と、
前記測定用流体袋の内圧より第２脈波信号を抽出する抽出手段と、
前記第１脈波信号と前記第２脈波信号とを比較することで、前記測定用流体袋を装着したユーザが前記指紋情報を取得したユーザであるか否かを認証する第２の認証手段と、
前記血圧値を保存する保存手段とを備える、血圧測定装置。
【請求項２２】
前記保存手段は、前記第１の認証手段において前記指紋情報を取得したユーザが登録されているユーザであると認証され、かつ前記第２の認証手段において前記測定用流体袋を装着したユーザが前記指紋情報を取得したユーザであると認証された場合に、前記血圧値を保存する、請求項２１に記載の血圧測定装置。
【請求項２３】
当該運動機器を用いるユーザの、指紋情報と生体から得られる第１の信号とを同時に取得する取得手段と、
前記取得した前記ユーザの指紋情報を用いて、前記ユーザが登録されているユーザであるか否かの認証を行なう第１の認証手段と、
前記ユーザの運動を支援し、前記ユーザの運動量情報を取得して記憶する運動支援手段と、
前記取得した前記第１の信号と、前記運動支援手段で前記ユーザの運動量情報と共に生体から得られる第２の信号とを用いて、前記運動量情報を取得しているユーザが、前記第１の認証手段によって認証されたユーザであるか否かの認証を行なう第２の認証手段と、
前記測定された運動量情報を保存する保存手段とを備える、運動機器。
【請求項２４】
当該運動機器を用いるユーザの、指紋情報と生体から得られる第１の信号とを同時に取得する取得手段と、
前記取得した前記ユーザの指紋情報を用いて、前記ユーザが登録されているユーザであるか否かの認証を行なう第１の認証手段と、
前記ユーザの運動を支援し、前記ユーザの運動量情報を取得して記憶する運動支援手段と、
前記取得した運動量情報と、前記第１の信号とを保存する保存手段と、
前記保存された前記第１の信号と、前記運動支援手段で前記ユーザの運動量情報と共に生体から得られる第２の信号とを用いて、前記運動量情報を取得しているユーザが、前記第１の認証手段によって認証されたユーザであるか否かの認証を行なう第２の認証手段とを備える、運動機器。
【発明の詳細な説明】
【０００１】
【発明の属する技術分野】
この発明は血圧測定装置および運動機器に関し、特に、測定される生体情報および運動量情報が確実に本人の生体情報および運動量情報であることが認証される血圧測定装置および運動機器に関する。
【０００２】
【従来の技術】
血圧値や運動機能を示す情報等の生体情報および運動の実績を示す運動量情報は、ユーザの個人情報として、様々な分野で用いられている。そのため、第３者が当該ユーザになりすまして、不正に生体情報を測定する等の不正が発生すると、当該ユーザにとっては多大な被害が発生する場合がある。そこで、測定される生体情報あるいは運動機能情報が、確実に当該ユーザの生体情報であるか否か、あるいは、確実に当該ユーザの運動量情報であるか否かという認証は、非常に重要である。
【０００３】
このような生体情報あるいは運動機能情報が当該ユーザの生体情報あるいは運動機能情報であるか否かという認証を行なうために、装置の記憶領域に保存されたユーザの固有情報にてユーザの照合を行い、ユーザを特定する生体情報、あるいは運動機器がある。すなわち、磁気カードやＩＣカードを用いてユーザを特定した後に、当該ユーザの生体情報の測定を行なう生体情報測定装置もある。また、予め設定されたユーザ固有のパスワードを入力してユーザを特定した後に、当該ユーザの生体情報の測定を行なう生体情報測定装置もある。
【０００４】
また、当該装置を用いて生体情報を測定する前に、指先の指紋を用いてユーザを特定した後に、当該ユーザの生体情報の測定を行なう生体情報測定装置もある。
【０００５】
【発明が解決しようとする課題】
しかしながら、上述の前者の生体情報測定装置を用いて生体情報を測定する場合、ＩＣカードやパスワード等のユーザの固有情報の盗難や流出等が発生すると、第３者が当該生体情報測定装置を不正に使用し、不正に生体情報を測定することの防止が難しいという問題があった。
【０００６】
また、上述の後者の生体情報測定装置を用いて生体情報を測定する場合、測定開始時等、ユーザの認証を行なう際にのみ当該ユーザ本人にて認証を行ない、その後、第三者が当該生体情報測定装置を不正に使用して不正に生体情報を測定することができるという問題があった。
【０００７】
また、上述の運動機器を用いて運動を行なう場合にも同様に、ＩＣカードやパスワード等のユーザの固有情報の盗難や流出等が発生すると、第３者が当該運動機器を不正に使用し、不正に運動量情報を作成することの防止が難しいという問題があった。
【０００８】
また、上述と同様に、利用開始時等、ユーザの認証を行なう際にのみ当該ユーザ本人にて認証を行ない、その後、第三者が当該運動機器を不正に使用して不正に運動量情報を作成することができるという問題があった。
【０００９】
本発明はこれらの問題に鑑みてなされたものであり、測定される生体情報あるいは運動量情報が確実に本人の生体情報あるいは運動量情報であることが認証される血圧測定装置および運動機器を提供することを目的とする。
【００１０】
【課題を解決するための手段】
上記目的を達成するために、本発明のある局面に従うと、血圧測定装置はユーザの生体情報を測定し血圧値を算出するための血圧測定装置であって、当該血圧測定装置を用いるユーザが生体情報の測定を指示する指示手段と、ユーザの、指紋情報と生体から得られる第１の信号とを同時に取得する取得手段と、取得した前記ユーザの指紋情報を用いて、上記ユーザが登録されているユーザであるか否かの認証を行なう第１の認証手段と、ユーザの生体情報を測定する生体情報測定手段と、測定された生体情報より第２の信号を抽出する抽出手段と、測定された生体情報から血圧値を算出する血圧算出手段と、取得した第１の信号と生体情報より抽出された第２の信号とを用いて、生体情報を測定しているユーザが、前記第１の認証手段によって認証されたユーザであるか否かの認証を行なう第２の認証手段と、測定された生体情報より算出された血圧値を保存する保存手段と、測定された生体情報より算出された血圧値を外部に出力する出力手段とを備える。
【００１１】
また、本発明の他の局面に従うと、血圧測定装置は、当該血圧測定装置を用いるユーザの、指紋情報と生体から得られる第１の信号とを同時に取得する取得手段と、取得したユーザの指紋情報を用いて、上記ユーザが登録されているユーザであるか否かの認証を行なう第１の認証手段と、ユーザの生体情報を測定する生体情報測定手段と、測定された生体情報から血圧値を算出する血圧算出手段と、測定された生体情報より算出された血圧値と、第１の信号とを保存する保存手段と、保存された第１の信号と、生体情報測定手段でユーザの生体情報を測定する際に生体から得られる第２の信号とを用いて、生体情報を測定しているユーザが、第１の認証手段によって認証されたユーザであるか否かの認証を行なう第２の認証手段とを備える。
【００１２】
また、血圧情報測定装置は、保存された第１の信号と、生体情報測定手段で得られる第２の信号とを用いて、ユーザの生体異常を判断する生体異常判断手段をさらに備えることが望ましい。
【００１３】
また、上述の第２の認証手段は、第１の信号と、前記第２の信号とが同じであるか否かで、ユーザが、第１の認証手段によって認証されたユーザであるか否かの認証を行なうことが望ましい。
【００１４】
また、上述の保存手段は、第１の認証手段において上記ユーザが登録されているユーザであると認証され、かつ、第２の認証手段において生体情報を測定しているユーザが第１の認証手段によって認証されたユーザであると認証された場合に、測定された生体情報より算出された血圧値を保存することが望ましい。
【００１５】
また、上述の、生体から得られる第１の信号および生体から得られる第２の信号は、ユーザの脈波情報であることが望ましい。
さらに、第２の認証手段は、第１の信号である脈波情報と第２の信号である脈波情報とについて、それらの周期と、波形と、波形の所定箇所の比率と、含まれるいわゆるゆらぎと言われる現象との少なくとも１つを比較することでそれら脈波情報が同じであるか否かを確認し、生体情報を測定しているユーザが、第１の認証手段によって認証されたユーザであるか否かの認証を行なうことがより好ましい。
【００１６】
また、血圧測定装置は、電気通信回線を介して情報の送受信を行なう通信手段をさらに備え、通信手段は、測定された生体情報を保存手段に送信することが望ましい。
【００１７】
さらに、血圧測定装置は、第１の認証手段においてユーザが登録されているユーザであると認証されなかった場合と、第２の認証手段においてユーザが第１の認証手段によって認証されたユーザであると認証されなかった場合との、少なくとも一方における対策手段と、撮影手段とをさらに備え、対策手段は、第１の認証手段と第２の認証手段との少なくとも一方において認証されなかった場合に、当該血圧測定装置を利用しているユーザの映像と、当該血圧測定装置を中心にした３６０°の映像との少なくとも一方の映像を撮影手段において撮影し、通信手段は、撮影された映像を出力することが望ましい。
または、血圧測定装置は、第１の認証手段においてユーザが登録されているユーザであると認証されなかった場合と、第２の認証手段においてユーザが第１の認証手段によって認証されたユーザであると認証されなかった場合との、少なくとも一方における対策手段をさらに備えることが望ましい。
【００１８】
さらに、上述の対策手段は、生体情報測定手段による、ユーザの生体情報の測定を制限することが望ましい。
【００１９】
または、上述の対策手段は、第１の認証手段または第２の認証手段によって認証されなかった旨を報知することが望ましい。
【００２０】
または、血圧測定装置は、撮影手段をさらに備え、対策手段は、第１の認証手段と第２の認証手段との少なくとも一方において認証されなかった場合に、当該血圧測定装置を利用しているユーザの映像と、当該血圧測定装置を中心にした３６０°の映像との少なくとも一方に映像を撮影手段において撮影し、保存手段は、撮影された映像を保存することが望ましい。
【００２２】
または、上述の対策手段は、第１の認証手段においてユーザが登録されているユーザであると認証されなかった場合に、取得手段で取得したユーザの指紋情報を保存手段において保存することが望ましい。
【００２３】
さらに、取得手段は、第１の認証手段において指紋情報に基づいて上記ユーザが登録されているユーザであると認証された場合に、上記ユーザより第１の信号を取得することが好ましい。
または、生体情報測定手段は、第１の認証手段において指紋情報に基づいて上記ユーザが登録されているユーザであると認証された場合に上記ユーザの生体情報を測定することが好ましい。
または、血圧算出手段は、第１の認証手段において指紋情報に基づいて上記ユーザが登録されているユーザであると認証され、かつ第２の認証手段において生体情報を測定しているユーザが第１の認証手段によって認証されたユーザであると認証された場合に、生体情報から血圧値を算出することが好ましい。
または、取得手段は、発光部と、発光部から照射された光がユーザの指の表面で反射したことによる反射光を受光する受光部とを含み、その反射光より指紋を検出することで指紋情報を取得し、その反射光の強弱を検出することで第１の信号を取得することが好ましい。
または、出力手段は、第１の認証手段において指紋情報に基づいて上記ユーザが登録されているユーザであると認証され、かつ第２の認証手段において生体情報を測定しているユーザが、第１の認証手段によって認証されたユーザであると認証された場合に、生体情報から算出された血圧値を外部に出力することが好ましい。
または、保存手段は、第１の認証手段において指紋情報に基づいて上記ユーザが登録されているユーザであると認証され、かつ第２の認証手段において生体情報を測定しているユーザが、第１の認証手段によって認証されたユーザであると認証された場合に、生体情報から算出された血圧値を保存することが好ましい。
また、本発明のさらに他の局面に従うと、血圧測定装置は、ユーザの指表面からの反射光を受光することによって指紋情報を取得する指紋取得手段と、その反射光の強弱を検出することにより第１脈波信号を取得する脈波信号取得手段と、指紋情報を用いて、指紋情報を取得したユーザが登録されているユーザであるか否かを認証する第１の認証手段と、測定用流体袋と測定用流体袋の内圧を測定するセンサとを含む血圧測定手段と、測定用流体袋の内圧より測定用流体袋を装着したユーザの血圧値を算出する血圧算出手段と、上記測定用流体袋の上記内圧より第２脈波信号を抽出する抽出手段と、第１脈波信号と第２脈波信号とを比較することで、測定用流体袋を装着したユーザが指紋情報を取得したユーザであるか否かを認証する第２の認証手段と、血圧値を保存する保存手段とを備える。
さらに、保存手段は、第１の認証手段において指紋情報を取得したユーザが登録されているユーザであると認証され、かつ第２の認証手段において測定用流体袋を装着したユーザが指紋情報を取得したユーザであると認証された場合に、血圧値を保存することが好ましい。
【００２４】
また、本発明の他の局面に従うと、運動機器は、当該運動機器を用いるユーザの、指紋情報と生体から得られる第１の信号とを同時に取得する取得手段と、取得したユーザの指紋情報を用いて、ユーザが登録されているユーザであるか否かの認証を行なう第１の認証手段と、ユーザの運動を支援し、ユーザの運動量情報を取得して記憶する運動支援手段と、取得した前記第１の信号と、運動支援手段でユーザの運動量情報と共に生体から得られる第２の信号とを用いて、運動量情報を取得しているユーザが、第１の認証手段によって認証されたユーザであるか否かの認証を行なう第２の認証手段と、測定された運動量情報を保存する保存手段とを備える。
【００２５】
また、本発明のさらに他の局面に従うと、運動機器は、当該運動機器を用いるユーザの、指紋情報と生体から得られる第１の信号とを同時に取得する取得手段と、取得したユーザの指紋情報を用いて、ユーザが登録されているユーザであるか否かの認証を行なう第１の認証手段と、ユーザの運動を支援し、ユーザの運動量情報を取得して記憶する運動支援手段と、取得した運動量情報と、第１の信号とを保存する保存手段と、保存された第１の信号と、運動支援手段でユーザの運動量情報と共に生体から得られる第２の信号とを用いて、運動量情報を取得しているユーザが、第１の認証手段によって認証されたユーザであるか否かの認証を行なう第２の認証手段とを備える。
【００２６】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２７】
［第１の実施の形態］
図１は、第１の実施の形態における血圧計１の外観の具体例を示す図である。第１の実施の形態における血圧計１は、ユーザの生体情報である血圧情報を測定する器機である。
【００２８】
図１を参照して、本実施の形態における血圧計１は、血圧計１全体の制御を行なう制御部１０１と、カフ１０４を用いてユーザの血圧を測定する血圧測定部１０２と、ユーザの指紋を認識する指紋認識部１０５と、音声の入力を受付けるマイク１０８と、音声の出力を行なうスピーカ１０９と、周囲の撮影を行なうカメラ１１０とを備える。
【００２９】
また、図２は、第１の実施の形態における血圧計１の、他の外観の具体例を示す図である。
【００３０】
以降では、本実施の形態における血圧計１は、図１に示される外観であるものとして説明を行なうが、本実施の形態における血圧計１は、図２に示されるように、図１に示される外観に限定されず、制御部１０１が血圧測定部１０２と一体となっている形態であっても構わない。
【００３１】
次に、図１に示される本実施の形態における血圧計１の構成について説明する。図３は、本実施の形態における血圧計１の構成の具体例を示す図である。
【００３２】
図３を参照して、本実施の形態における血圧計１は、カフ１０４と、カフ１０４内の圧力を測定する圧力センサ１０３とを備える。血圧測定部１０２は、圧力センサ１０３が検出する値に基づいてユーザの血圧を測定する。
【００３３】
また、本実施の形態における血圧計１は、指紋認識部１０５と、指紋認識センサ１０６と、脈拍センサ１０７とを備える。そして、指紋認識部１０５は、指紋認識センサ１０６が検出する情報に基づいてユーザの指紋を認識する。また、脈拍センサ１０７が検出する値に基づいてユーザの脈波を測定する。
【００３４】
また、本実施の形態における血圧計１は、図１にも示されるマイク１０８と、スピーカ１０９と、カメラ１１０とを含む。
【００３５】
また、外部との通信を行なうためのインタフェースである通信部１１１と、各種情報を記憶する記憶部１１２とを含む。
【００３６】
また、各種情報の表示を行なう表示部１１３を含む。
そして、血圧計１全体は、制御部１０１によって制御される。
【００３７】
なお、指紋認識部１０５、指紋認識センサ１０６、および脈拍センサ１０７における指紋認識方法および脈波検出方法について、さらに説明する。
【００３８】
指紋認識方法および脈波検出方法は、一般的に行なわれている指紋認識方法および脈波検出方法であってよく、ここではその方法について特に限定は行なわない。
【００３９】
その具体例として、図４は、指紋認識部１０５、指紋認識センサ１０６、および脈拍センサ１０７の具体例を示す図である。
【００４０】
図４を参照して、フォトダイオード等からなる受光部は、赤外ＬＥＤ（Light Emitting Diode：発光ダイオード）等からなる発光部から照射された光が、指に反射した光を受光する。
【００４１】
指紋認識センサ１０６は、指紋情報を得る。より具体的には、指紋認識センサ１０６は、レンズを介して指の表面に反射した光をＣＣＤ（Charge Coupled Device）等からなる撮像素子において受光し、指紋を検出する。
【００４２】
また、脈拍センサ１０７は、上述の受光部が受光した光の情報を用いて、脈波の検出を行なうことができる。
【００４３】
より具体的には、脈拍センサ１０７は、指内部の血管を流れるヘモグロビンに反射した光に基づいて、脈波を検出する。指内部の血管を流れるヘモグロビンは、心臓から押出される血液のリズム（脈波）に応じて、量が変化する。そのため、赤色のヘモグロビンに反射する光も、その強弱が変化する。脈拍センサ１０７では、その反射する光の強弱を検出することで、ユーザの脈波を検出する。
【００４４】
さらに、図３に示される、血圧計１の記憶部１１２について説明する。
記憶部１１２は、血圧計１の制御部１０１で実行されるプログラムを記憶する他、測定された血圧情報や、ユーザの指紋情報等を記憶する。
【００４５】
図３においては、記憶部１１２にこれら全ての情報が記憶される構成が示されているが、上述の構成に限定されるものではない。具体的には、上述の、測定された血圧情報やユーザの指紋情報等は、血圧計１の本体（制御部１０１）に含まれず、他の記憶装置に記憶されてもよい。図５は、血圧計１の本体（制御部１０１）の第１の具体例を示す図である。図５に示される如く、測定された血圧情報やユーザの指紋情報等は、他の記憶装置であるＩＣカードに記憶されてもよい。
【００４６】
また、これらの情報は、血圧計１の通信部１１１を介して伝送されることで、他の記憶装置に記憶されてもよい。図６は、血圧計１の本体（制御部１０１）の第２の具体例を示す図である。図６に示される如く、通信部１１１が、電話回線、専用線、ＬＡＮ（Local Area Network）やインターネット等のネットワークを介して情報を伝送できる通信線である場合は、通信部１１１を介して、測定された血圧情報やユーザの指紋情報等を、他の記憶装置に送信してもよい。なお、上述の通信には、通信線による通信の他、無線による通信も含まれるものとする。
【００４７】
次に、フローチャートを用いて、本血圧計１を用いての血圧測定処理について説明を行なう。
【００４８】
なお、血圧計１を用いて血圧を測定する前提として、測定を行なうユーザは、本血圧計１に個人情報として指紋の登録処理を行なう必要がある。指紋の登録処理については、一般的な登録処理であるため、ここではフローチャート等を用いての詳細な説明は行なわない。登録されたユーザの指紋情報は、血圧計１の記憶部１１２に記憶されてもよいし、先に述べたような、その他の記憶装置に記憶されてもよい。
【００４９】
図７は、第１の実施の形態の、血圧計１における処理について示すフローチャートである。図７のフローチャートに示される処理は、制御部１０１が、記憶部１１２に記憶されるプログラムを読出して実行することによって実現される。
【００５０】
図７を参照して、始めに、指紋認識部１０５において、血圧の測定を行なうユーザの指紋を認識し、さらに記憶部１１２あるいは他の記憶装置を検索し、当該ユーザが予め登録されているユーザであるか否かの認証を行なう（Ｓ１０１）。ステップＳ１０１における認証処理については一般的な認証処理であって、ここではその方法は限定しない。
【００５１】
ステップＳ１０１における認証処理の結果、当該ユーザの指紋が、予め登録されている指紋と一致する場合は（Ｓ１０２でＹＥＳ）、続いて指紋認識部１０５においてユーザの脈波を検出して、当該ユーザの脈波を測定する（Ｓ１０３）。なお、以降の説明の便宜上、ステップＳ１０３で測定される脈波を脈波１とする。
【００５２】
続いて、血圧測定部１０２は、カフ１０４内の圧力を圧力センサ１０３でセンシングして検出し、検出されたカフ１０４内の圧力を測定する（Ｓ１０４）。さらに、測定されたカフ１０４内の圧力に基づいて、当該ユーザの脈波を抽出する（Ｓ１０５）。なお、以降の説明の便宜上、ステップＳ１０５で抽出される脈波を脈波２とする。
【００５３】
ステップＳ１０３およびステップＳ１０５における脈波１および脈波２の測定は、１回の測定のみならず、複数回、所定の間隔で測定されてもよいし、連続して所定の時間内測定されてもよい。
【００５４】
そして、ステップＳ１０３で測定された脈波１と、ステップＳ１０５で抽出された脈波２とが一致する場合（Ｓ１０６でＹＥＳ）、当該血圧計１を用いて血圧を測定しているユーザが、ステップＳ１０１で指紋認証された予め登録されているユーザであると認識し、ステップＳ１０４で測定されたカフ１０４内の圧力に基づいて、当該ユーザの血圧を演算する（Ｓ１０７）。
【００５５】
ステップＳ１０７において、当該ユーザの血圧値が決定されると（Ｓ１０８でＹＥＳ）、決定された血圧値を表示部１１３に表示する。また、記憶部１１２等の記憶手段に記憶する。さらに、当該血圧計１が通信手段を備える場合、前記通信手段を用いて、決定された血圧値等の情報を、記憶装置等の他の装置に対して送信する（Ｓ１０９）。
【００５６】
上述のステップＳ１０１における認証処理の結果、当該ユーザの指紋が、予め登録されている指紋と不一致の場合には（Ｓ１０２でＮＯ）、あるいは、ステップＳ１０３で測定された脈波１と、ステップＳ１０５で抽出された脈波２とが不一致の場合（Ｓ１０６でＮＯ）、当該ユーザは当該血圧計１を不正に使用しているものみなし、測定者不正対策処理を実行する（Ｓ１１０）。すなわち、当該血圧計１にユーザ登録を行なっているユーザではないもの、あるいは、指紋認識部１０５で認証したユーザと血圧を測定しているユーザとが同一人物ではないものとみなし、その不正に対応するための処理を実行する。
【００５７】
具体的には、表示部１１３において、警告の表示が行なわれてもよいし、スピーカ１０９から警報が発せられてもよい。
【００５８】
また、不正な使用が行なわれている際に、当該血圧計１の前方、すなわち当該ユーザの映像を、カメラ１１０で撮影し、撮影画像を記憶部１１２等に記憶する処理が実行されてもよいし、当該血圧計１を中心に、全方向（３６０°）をカメラ１１０で撮影し、撮影画像を記憶部１１２等に記憶する処理が実行されてもよい。また、マイク１０８において、そのときの音声を録音し、記憶部１１２等に記憶する処理が実行されてもよい。さらに、それらの画像や音声の情報は、当該血圧計１が通信手段を備える場合、前記通信手段を用いて、記憶装置等の他の装置に対して送信してもよい。
【００５９】
また、測定者不正対策処理は、当該血圧計１の使用ができなくなる等の、使用の制限であってもよい。また、当該血圧計１で測定された血圧値を保存しない、あるいは、送信しない等の処理であってもよい。
【００６０】
さらに、上述の測定者不正対策処理は、所定の回数、上述の不一致があった場合に（Ｓ１０２でＮＯあるいはＳ１０６でＮＯ）、実行される処理であってもよい。
【００６１】
なお、当該血圧計１にユーザ登録を行なっていないユーザによる使用に対する測定者不正対策処理の場合、新規のユーザ登録を行なう、あるいは促す処理であってもよい。
【００６２】
さらに、上述のステップＳ１０７において、計測エラー等で、血圧値が決定されなかった場合（Ｓ１０８でＮＯ）、再びステップＳ１０１の処理に戻り、当該ユーザの指紋の認証処理が実行され、ステップＳ１０２以降の処理が実行される。
【００６３】
以上で、本プログラムを終了する。
なお、上述のステップＳ１０７において、計測エラー等で、血圧値が決定されなかった場合（Ｓ１０８でＮＯ）、ステップＳ１０１における指紋の認証処理は行なわれなくてもよい。図８は、その場合の処理を示すフローチャートである。すなわち、第１の実施の形態の、血圧計１における第２の処理について示すフローチャートである。
【００６４】
図８のフローチャートに示される如く、ステップＳ１０７において、血圧値が決定されなかった場合（Ｓ１０８でＮＯ）、再度、指紋認識部１０５における脈波の測定処理以降の処理が実行されてもよい。
【００６５】
なお、上述の図７および図８に示されるフローチャートにおいては、当該ユーザが認証された場合にのみ、ステップＳ１０７における血圧の演算を行なう処理について示されているが、先にステップＳ１０７における血圧の演算を行ない、その後、当該ユーザが認証された場合にのみ、血圧値が保存あるいは送信されてもよい。
【００６６】
さらに、上述のステップＳ１０５での、血圧測定部１０２における脈波の抽出について説明を行なう。
【００６７】
図９は、測定されたカフ１０４内の圧力についての具体例を示す図である。図９に示されるカフ１０４内の圧力は、血圧測定部１０２において測定されるカフ１０４内の、時間による関数を示す図である。図９に示されるカフ１０４内の圧力に基づいて、上述のステップＳ１０７において、当該ユーザの（最高および最低）血圧が算出される。なお、血圧の算出方法については、一般的な方法であるため、ここでの説明は行なわない。
【００６８】
図９を参照して、上述のステップＳ１０４でカフ１０４内の圧力を測定するとき、まず始めに、カフ１０４内に空気を送込み、カフ１０４を加圧する（Ｓ１部）。そして、徐々にカフ１０４の空気を抜くことで、カフ１０４内の圧力を下げる（Ｓ２部）。その際、ユーザの血圧が、カフ１０４内の圧力より高くなると、カフ１０４を内部から押すため、ユーザの脈波（脈波２）が圧力センサ１０３によってセンシングされる。図９においては、その部分に丸印を付して示されている。
【００６９】
上述のステップＳ１０６においては、指紋認識部において測定されるユーザの脈波（脈波１）と、上述の図９に示される、センシングされたユーザの脈波（脈波２）とが比較される。
【００７０】
図１０は、脈波１と脈波２との具体例を示す図である。図１０に示される脈波１および脈波２は、測定される各々の脈波の、時間による関数を示す図である。さらに、ここでの脈波２は、図９の丸印の部分に示される、血圧測定部１０２で抽出される脈波に対して所定の補正を行なうことで得られる脈波である。
【００７１】
図１０を参照して、上述のステップＳ１０６での脈波の比較として、具体的には、脈波１と脈波２との周期の比較を行なうことが考えられる。すなわち、図１０に示される如く、脈波１と脈波２との周期Ｔを抽出し、それらが同期していることによって、脈波１と脈波２とが測定されたユーザが同一人物であることの確認を行なうことができる。
【００７２】
なお、ステップＳ１０６での脈波の比較は、脈波の周期の比較に限定されず、脈波１と脈波２とが同期しているか否かや、脈波の波形を比較することや、波形の所定個所の比率を比較することや、脈波に含まれるいわゆるゆらぎと言われる現象を比較すること等によっても、それらが同一である場合に、脈波１と脈波２とが測定されたユーザが同一人物であることの確認を行なうこともできる。また、その他の方法であってもよい。
【００７３】
本実施の形態における血圧計１では、このようにして、指紋認証を行なってユーザが登録されているユーザであるか否かの認証を行なった上に、さらに、血圧を測定しているユーザが、確実に登録されているユーザであることを認証する。また、その認証は、当該血圧計１を用いて血圧を測定する際に、必然的に抽出される２つの脈波を用いて行なうことで、血圧計１の不正な使用を確実に防止することができる。このことによって、確実にユーザ本人の生体情報であると認証された生体情報である血圧値を測定することができる。
【００７４】
なお、上述の第１の実施の形態においては、ユーザの脈波を測定することで、生体情報（血圧）の測定を行なっているユーザが確実に登録されているユーザであることの認証を行なったが、その他の生体インピーダンスを用いて上述の認証を行なってもよい。具体的には、ユーザのインピーダンス値等の情報を用いて上述の認証を行なってもよい。
【００７５】
また、上述の第１の実施の形態においては、ユーザの生体情報として血圧情報を血圧計１を用いて測定する場合について説明を行なったが、生体情報として、血糖値等のその他の情報を測定する場合においても同様である。
【００７６】
例えば、生体情報として、ユーザの運動能力を測定する場合についても用いることができる。そこで、次に、ユーザの運動能力を測定する場合について他の実施の形態の中で説明を行なう。
【００７７】
［第２の実施の形態］
図１１は、第２の実施の形態における運動機器２の外観の具体例を示す図である。本実施の形態における運動機器２は、ユーザに、歩く、走る、漕ぐ、持上げる、踏む、および登る等の運動を促す、または補助するための機器であって、同時に、その運動機能を測定することもできる機器である。具体的には、図１１は、ユーザの走る（あるいは歩く、あるいは登る）運動の補助し測定するための機器である。
【００７８】
図１１を参照して、本実施の形態における運動機器２は、運動機器２全体の制御を行なう制御部２０１と、ユーザの走る運動を補助するための運動機能部２０２と、ユーザの指紋を認識する指紋認識部２０４と、ユーザの耳たぶの脈拍を認識する耳たぶ脈拍認識部２０７と、情報の表示を行なう表示部２１３と、音声の入力を受付けるマイク２０９と、音声の出力を行なうスピーカ２１０と、周囲の撮影を行なうカメラ２１１とを備える。
【００７９】
また、図１２は、第２の実施の形態における運動機器２の構成の具体例を示す図である。
【００８０】
図１２を参照して、さらに、本実施の形態における運動機器２は、外部の装置との通信を行なう通信部２１２と、運動機能部２０２と、ユーザの走る運動の機能を測定するための運動機能センサ２０３とを備える。
【００８１】
運動機能センサ２０３は、具体的にはユーザが単位時間当たりに運動できる最大の運動量や、運動中の最高の脈拍数や、所定の運動付加時における脈拍数等の、当該運動機器２を用いて運動を行なっているユーザの体力レベルを測定する。
【００８２】
そして、運動機器２は、制御部２０１において実行されるプログラムや、各種情報を記憶する記憶部２１４を備える。上述のユーザの体力レベルに関する情報は、当該ユーザの運動機能に関する情報として、当該運動機器２によって測定され、記憶部２１４やその他の記憶装置等に記憶される。
【００８３】
また、本実施の形態における運動機器２は、指紋認識部２０４と、指紋認識センサ２０５と、脈波センサ２０６とを備える。そして、指紋認識部２０４は、指紋認識センサ２０５が検出する情報に基づいてユーザの指紋を認識する。また、脈波センサ２０６が検出する値に基づいてユーザの脈波（心拍）を測定する。
【００８４】
この指紋認識部２０４、指紋認識センサ２０５、および脈波センサ２０６は、図１１を参照して、当該運動機器２を使用する際に、自然にユーザの指が当たる部分、具体的には、当該運動機器２の握り手部分に備えられることが望ましい。このような場所に指紋認識部２０４、指紋認識センサ２０５、および脈波センサ２０６を備えることで、ユーザは特別に指紋認証のための操作を行なうことなく、当該運動機器２を用いる際に自然に指紋認証を行なうことができ、ユーザの利便性を高めることができる。また、当該運動機器２を用いる際に必然的に指紋認証を行なうことができる。
【００８５】
なお、指紋認識部２０４、指紋認識センサ２０５、および脈波センサ２０６でのユーザの指紋の認識方法および脈波の測定については、第１の実施の形態における認識方法および測定方法の具体例と同様であるため、ここでの説明は繰返さない。
【００８６】
また、本実施の形態における運動機器２は、耳たぶ脈拍認識部２０７と、脈拍センサ２０８とを備える。ユーザは、このような形態の耳たぶ脈拍認識部２０７を、耳たぶを挟む状態でセットして、当該運動機器２において運動を開始する。すると、耳たぶ脈拍認識部２０７は、脈拍センサ２０８が検出する情報に基づいてユーザの脈拍を認識し、脈波を測定する。なお、耳たぶ脈拍認識部２０７における脈拍の認識方法については、一般的な認識方法であるため、ここでの説明は行なわない。
【００８７】
また、本実施の形態の運動機器２の備える記憶部２１４もまた、上述の第１の実施の形態の血圧計１の記憶部１１２と同様に、運動機器２の制御部２０１で実行されるプログラムを記憶する他、測定されたユーザの運動機能情報や、ユーザの指紋情報等を記憶する。また、これらの情報は、運動機器２の本体（制御部２０１）に含まれず、他の記憶装置に記憶されてもよい。その場合、運動機器２は、それらの情報を、通信部２１２を介して他の記憶装置と送受信する。
【００８８】
なお、上述の図１１および図１２に示される運動機器２において、運動機能センサ２０３に替えて、ユーザの運動量を測定する運動量センサ（図示せず）を備えてもよい。また、運動機能センサ２０３と運動量センサとの双方を備えてもよい。
【００８９】
上述の運動量センサは、具体的にはユーザが当該運動機器２で走った距離や速度等を抽出する。その抽出方法はここでは具体的には限定しないが、例えば、運動機能部２０２が回転するレーン（図示せず）にてユーザの走る運動を補助する場合、運動量センサは、そのレーンの回転量や回転速度等をセンシングすることで、当該ユーザの走った距離や速度等を抽出することができる。また、所定のパラメータを用いて演算を行なうことによって消費カロリー等を算出することもできる。なお、以降の説明においては、図１１および図１２に示される、運動機能センサ２０３を備える運動機器２についてに述べるが、運動量センサを備えてる運動機器も同様である。また、運動量センサで測定されるユーザの運動量情報も、運動機能センサ２０３で測定されるユーザの運動機能情報と同様に扱われる。
【００９０】
次に、フローチャートを用いて、本実施の形態の運動機器２における処理について説明を行なう。
【００９１】
なお、運動機器２を用いて運動を行ない、その運動機能を測定する前提として、上述の血圧計１と同様に、ユーザは本運動機器２に個人情報として指紋の登録処理を行なう必要がある。指紋の登録処理については、一般的な登録処理であるため、ここでの説明は省略する。
【００９２】
図１３は、第２の実施の形態の、運動機器２における処理について示すフローチャートである。図１３のフローチャートに示される処理は、制御部２０１が、記憶部２１４に記憶されるプログラムを読出して実行することによって実現される。
【００９３】
図１３を参照して、始めに、指紋認識部２０４において、運動機器２を用いるユーザの指紋を認識し、さらに記憶部２１４あるいは他の記憶装置を検索し、当該ユーザが予め登録されているユーザであるか否かの認証を行なう（Ｓ２０１）。具体的には、当該ユーザが、運動機器２を使用する際に、指紋認識部２０４が備えられる握り手等を持つことで、自動的に当該ユーザの指紋を取得し、当該ユーザが予め登録されているユーザであるか否かの認証が行なわれる。
【００９４】
ステップＳ２０１における認証処理の結果、当該ユーザの指紋が、予め登録されている指紋と一致する場合は（Ｓ２０３でＹＥＳ）、当該ユーザによる運動機器２の使用が開始される（Ｓ２０５）。具体的には、ユーザが上述の認証処理を行なう前には、運動機能部２０２にロック機能等が作動し、用いることができない状態である等が考えられる。また、上述の認証処理を行なわないと、運動機能部２０２において、当該ユーザの運動機能が測定されない仕組みであってもよい。
【００９５】
当該ユーザが、運動機器２において運動を開始すると、指紋認識部２０４においてユーザの脈波を検出して、当該ユーザの脈波を測定する（Ｓ２０７）。具体的には、当該ユーザが、指紋認識部２０４の備えられる握り手等を握って運動を行なうことによって、当該指紋認識部２０４においてユーザの脈波が測定される。なお、以降の説明の便宜上、ステップＳ２０７で測定される脈波を脈波１とする。
【００９６】
また同時に、当該ユーザの耳たぶに取付けられた耳たぶ脈拍認識部２０７において、ユーザの脈波を検出して、当該ユーザの脈波を測定する（Ｓ２０９）。なお、以降の説明の便宜上、ステップＳ２０９で抽出される脈波を脈波２とする。
【００９７】
ステップＳ２０７で測定された脈波１と、ステップＳ２０９で測定された脈波２とが一致する場合（Ｓ２１１でＹＥＳ）、当該運動機器２において運動しているユーザが、ステップＳ２０１において認証された、予め登録されているユーザであると認識し、当該ユーザによる運動機器２の使用が継続される（Ｓ２１３）。また、同時に、運動機能センサ２０３において、当該ユーザの運動機能が測定される。具体的には、当該ユーザの走った距離や速度等が測定される。また、肺活量や心拍数等が測定されてもよい。また、所定のパラメータを用いて、消費カロリーが算出されてもよい。
【００９８】
そして、予め設定してある所定時間や所定の運動量の運動を行ない、当該ユーザが運動を終了すると（Ｓ２１５でＹＥＳ）、測定された上述の当該ユーザの運動機能に関する情報は、記憶部２１４に記憶される。あるいは、通信部２１２を介して、他の記憶装置に送信される（Ｓ２１７）。上述の運動を行なう所定時間や所定の運動量は、予めユーザが図示されない入力部等から入力して設定されるものであってもよいし、記憶部２１４に記憶されている当該ユーザの前回の運動機能に関する情報や、所定の期間の当該ユーザの運動機能に関する情報に基づいて、自動的に設定されるものであってもよい。
【００９９】
上述のステップＳ２０３において当該ユーザの指紋が、予め登録されている指紋と不一致の場合（Ｓ２０３でＮＯ）、あるいは、ステップＳ２０７で測定された脈波１と、ステップ２０９で抽出された脈波２とが不一致の場合（Ｓ２１１でＮＯ）、第１の実施の形態の血圧計１における処理と同様に、測定者不正対策処理が実行される（Ｓ２１９）。ステップＳ２１９における測定者不正対策処理についても、上述の第１の実施の形態の血圧計１における測定者不正対策処理と同様であるため、ここでの説明は繰返さない。
【０１００】
さらに、上述のステップＳ２１５において、予め設定してある所定時間や所定の運動量を経過した後も、当該ユーザが運動を継続する場合（Ｓ２１５でＮＯ）、再びステップＳ２０１の処理に戻り、当該ユーザの指紋の認証処理が実行され、ステップＳ２０１以降の処理が実行される。また、上述の認証処理が行なわれず、ステップＳ２０５以降の処理が実行されてもよい。
【０１０１】
以上で、本プログラムを終了する。
本実施の形態における運動機器２でもまた、指紋認証を行なってユーザが登録されているユーザであるか否かの認証を行なった上に、さらに、運動機器２を使用しているユーザが、確実に登録されているユーザであることを認証する。また、その認証は、当該運動機器２を用いて運動を行なう際に、自動的に抽出される２つの脈波を用いて行なうことで、運動機器２の不正な使用を防止することができる。このことによって、確実にユーザ本人の生体情報であると認証された生体情報である運動機能に関する情報を測定することができる。
【０１０２】
しかし、本実施の形態の運動機器２においても、上述の脈波１および脈波２が測定されるユーザと、運動機器２で運動を行なうユーザとが同一人物でないような運動機器２の用い方をすることによって、運動機器２の不正な使用を行なうことも可能である。
【０１０３】
そこで、以下に、このような運動機器２の不正な使用を、より確実に防止することができる運動機器２について、変形例を挙げて説明を行なう。
【０１０４】
［変形例］
変形例においては、上述の第２の実施の形態における運動機器２と同様の形態の運動機器２であって、不正な使用を確実に防止することのできる運動機器２について説明する。運動機器２の外観の具体例およびその構成については、上述の第２の実施の形態において、図１１および図１２を用いて説明したものと同様であるが、本変形例における運動機器２は、耳たぶ脈拍認識部２０７および脈拍センサ２０８を含まない。
【０１０５】
なお、本変形例においては、運動機器２の記憶部２１４、あるいは、通信部２１２を介して通信を行なう他の記憶装置（図示せず）は、登録しているユーザごとの運動機能に関する情報を蓄積して記憶する。ここで記憶される運動機能に関する情報には、当該ユーザの運動量に関する情報と、運動量に対応した脈波の変化（パターン）とを記憶する。
【０１０６】
ここで記憶される運動量に対応した脈波のパターンとは、運動量の変化に対応する脈波の変化である。この脈波のパターンは、一般的に、運動量が増加するほど、脈波の周期が短くなり、また、脈波の幅も小さくなるものである。しかし、このような脈波のパターンは、ある程度、ユーザに固有なパターンであるといえる。すなわち、日頃からよく運動を行なっているようなユーザである場合は、多少運動量が増えた場合でも脈波は大きく変化することはなく、その逆に、運動不足であるようなユーザの場合、少しの運動量であっても脈波が大きく変化する。そのため、このような運動量に対応した脈波のパターンは、ある程度の確からしさをもって、ユーザに固有の情報であると言える。なお、ここでの脈波は、指紋認識部２０４において測定される脈波（脈波１）である。
【０１０７】
次に、変形例における運動機器２での処理について説明する。
図１４は、変形例の運動機器２における処理について示すフローチャートである。図１４のフローチャートに示される処理は、制御部２０１が、記憶部２１４に記憶されるプログラムを読出して実行することによって実現される。
【０１０８】
図１４を参照して、変形例における運動機器２では、上述の第２の実施の形態における運動機器２の、図１３のステップＳ２０１と同様に指紋認証が行なわれ、当該ユーザが認証される。また、ステップＳ２０１において、当該ユーザが予め登録されているユーザと一致しなかった場合には、上述の第２の実施の形態と同様の、測定者不正対策処理が実行される（Ｓ２２１）。そして、ステップＳ２０７まで、上述の第２の実施の形態における運動機器２での処理と同様の処理が実行されて、指紋認識部２０４において、当該ユーザの脈波１が測定される。
【０１０９】
続いて、記憶部２１４あるいは他の記憶装置を検索し、当該ユーザの過去の脈波のパターンを抽出する（Ｓ２０９）。具体的には、記憶部２１４あるいは他の記憶装置に記憶されている、当該ユーザの運動機能に関する情報を検索し、運動量の変化に対応した脈波の変化のパターンを抽出する。ここで抽出された脈波のパターンを、以下の説明の便宜上、脈波２とする。
【０１１０】
そして、ステップＳ２０７で測定されている脈波１と、ステップＳ２０９で抽出された脈波２とを比較し、一致する場合には（Ｓ２１１でＹＥＳ）、当該運動機器２において運動しているユーザが、ステップＳ２０１において認証された、予め登録されているユーザであると認識し、当該ユーザによる運動機器２の使用が継続される（Ｓ２１５）。
【０１１１】
もちろん、ユーザのその日の体調やその他の要因によって、測定される脈波１と、記憶されている脈波のパターンである脈波２とは若干の相違がある場合もある。そのため、ステップＳ２１１においては、脈波２に対して所定の範囲を設けて、その範囲においての一致を確認してもよい。
【０１１２】
また、ステップＳ２１１において、測定される脈波１と、記憶されている脈波のパターンである脈波２とが、一致しなかった場合（Ｓ２１１でＮＯ）、あるいは、上述の如く、所定の範囲において一致しなかった場合、当該ユーザの体調の不調を判断することもできる。このように、ユーザの体調が不調である等の、生体の異常を判断した場合（Ｓ２１３でＹＥＳ）、表示部２１３やスピーカ２１０において、その旨をユーザに通知することもできる。また、通信部２１２を介して、医療機関等にその旨を通知することもできる。
【０１１３】
なお、脈波１と脈波２の不一致が、生体の異常ではない場合（Ｓ２１３でＮＯ）、上述の如く、測定者不正対策処理が実行される（Ｓ２２１）。測定者不正対策処理の具体例については、ここでは繰返さない。
【０１１４】
そして、ステップＳ２０１において登録されたユーザであると認証された当該ユーザの運動機能に関する情報は、上述の第２の実施の形態の運動機器２での処理と同様に、記憶部２１４に記憶され、あるいは、通信部２１２を介して、他の記憶装置に送信される（Ｓ２１９）。
【０１１５】
さらに、本変形例の運動機器２においては、指紋認識部２０４で測定された当該ユーザの脈波１のパターンもまた、記憶部２１４に記憶され、あるいは、通信部２１２を介して、他の記憶装置に送信される（Ｓ２２０）。
【０１１６】
以上で、本プログラムを終了する。
なお、ステップＳ２１７において、予め設定してある所定時間や所定の運動量を経過した後も、当該ユーザが運動を継続する場合（Ｓ２１７でＮＯ）、図１５に示される如く、ステップＳ２０５以降の処理が実行されてもよい。図１５は、変形例の運動機器２における第２の処理について示すフローチャートである。
【０１１７】
なお、上述の図１４および図１５のフローチャートに示される変形例での運動機器２における処理では、指紋認識部２０４で測定される脈波を脈波１として、記憶されている脈波のパターンである脈波２と比較する処理が実行される旨の説明を行なっているが、指紋認識部２０４で測定される脈波に替えて、当該運動機器２に接続される耳たぶ脈拍センサ（図１１および図１２参照）等から得られる脈波を用いることもできる。また、図示されない血圧測定装置等から得られる脈波等、その他の方法で得られる脈波を用いることもできる。
【０１１８】
このように、変形例における運動機器２では、ユーザの運動機能に関する情報と、脈波のパターンとが記憶され、記憶された脈波のパターンを用いて、運動機器２を使用しているユーザが、確実に登録されているユーザであることを認証する。その認証は、当該運動機器２を用いて運動を行なう際に、必然的に抽出される脈波と、記憶されているユーザの脈波のパターンとを用いて行なうことで、運動機器２の不正な使用をより確実に防止することができる。このことによって、確実にユーザ本人の生体情報であると認証された生体情報である運動機能に関する情報を測定することができる。
【０１１９】
また、上述の運動機器２においては、測定されたユーザの脈波と、記憶されているユーザの脈波のパターンとを比較することで、当該ユーザの認証を行なっているが、このような認証は脈波を用いる認証に限定されず、その他の生体インピーダンスを用いて認証しても構わない。具体的には、ユーザのインピーダンス値等の生体インピーダンスを用いることも考えられる。このように生体インピーダンスを用いて認証を行なうことで、当該指紋の認証を行なったユーザと、運動を行なっているユーザとが、確実に同一人物であることが認証され、運動機器２の不正な使用をより確実に防止することができる。このことによって、確実にユーザ本人の生体情報であると認証された生体情報である運動機能に関する情報を測定することができる。
【０１２０】
さらに、上述の血圧測定機１あるいは運動機器２が行なうユーザの認証方法を、プログラムとして提供することもできる。このようなプログラムは、コンピュータに付属するフレキシブルディスク、ＣＤ−ＲＯＭ、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１２１】
提供されるプログラム製品は、ハードディスクなどのプログラム格納部にインストールされて実行される。
【０１２２】
なお、プログラム製品は、プログラム自体と、プログラムが記録された記録媒体とを含む。
【０１２３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  第１の実施の形態における血圧計１の外観の具体例を示す図である。
【図２】  第１の実施の形態における血圧計１の、他の外観の具体例を示す図である。
【図３】  第１の実施の形態における血圧計１の構成の具体例を示す図である。
【図４】  指紋認識部１０５、指紋認識センサ１０６、および脈拍センサ１０７の具体例を示す図である。
【図５】  血圧計１の本体（制御部１０１）の第１の具体例を示す図である。
【図６】  血圧計１の本体（制御部１０１）の第２の具体例を示す図である。
【図７】  第１の実施の形態の、血圧計１における処理について示すフローチャートである。
【図８】  第１の実施の形態の、血圧計１における第２の処理について示すフローチャートである。
【図９】  測定されたカフ１０４内の圧力についての具体例を示す図である。
【図１０】  脈波１と脈波２との具体例を示す図である。
【図１１】  第２の実施の形態における運動機器２の外観の具体例を示す図である。
【図１２】  第２の実施の形態における運動機器２の構成の具体例を示す図である。
【図１３】  第２の実施の形態の、運動機器２における処理について示すフローチャートである。
【図１４】  変形例の運動機器２における処理について示すフローチャートである。
【図１５】  変形例の運動機器２における第２の処理について示すフローチャートである。
【符号の説明】
１  血圧計、２  運動機器、１０１  血圧計の制御部、１０２  血圧測定部、１０３  圧力センサ、１０４  カフ、１０５  血圧計の指紋認識部、１０６  血圧計の指紋認識センサ、１０７  血圧計の脈拍センサ、１０８  血圧計のマイク、１０９  血圧計のスピーカ、１１０  血圧計のカメラ、１１１  血圧計の通信部、１１２  血圧計の記憶部、１１３  血圧計の表示部、２０１  運動機器の制御部、２０２  運動機能部、２０３  運動機能センサ、２０４  運動機器の指紋認識部、２０５  運動機器の指紋認識センサ、２０６  運動機器の脈波センサ、２０８  運動機器の脈拍センサ、２０７  耳たぶ脈拍認識部、２０９  運動機器のマイク、２１０  運動機器のスピーカ、２１１  運動機器のカメラ、２１２  運動機器の通信部、２１３  運動機器の表示部、２１４  運動機器の記憶部。
【図１】
0003838141.tif 000002
【図２】
0003838141.tif 000003
【図３】
0003838141.tif 000004
【図４】
0003838141.tif 000005
【図５】
0003838141.tif 000006
【図６】
0003838141.tif 000007
【図７】
0003838141.tif 000008
【図８】
0003838141.tif 000009
【図９】
0003838141.tif 000010
【図１０】
0003838141.tif 000011
【図１１】
0003838141.tif 000012
【図１２】
0003838141.tif 000013
【図１３】
0003838141.tif 000014
【図１４】
0003838141.tif 000015
【図１５】
0003838141.tif 000016